(57)【要約】【課題】停電及びガス利用者の不注意でガス警報器のコンセントが抜けた時に、ガス警報器がガス漏れ状態を検出できなくなった状態でのガス漏れをぐことを目的とする。【解決手段】電源供給信号ｅを一定時間以上受信できない期間内に、流量パルス信号ａまたは感震パルス信号ｃを受け取ると、遮断弁駆動部６に停電検出信号ｆを出力して遮断弁３を駆動させてガス流路２を遮断する。【選択図】図１
2005257156.tif 000002
【特許請求の範囲】
【請求項１】
ガスメータのガス流路内に設けられた遮断弁と、前記遮断弁の駆動電力を供給する前記ガスメータ内に内蔵された電池と、前記ガス流路を通過するガス流量を測定し、流量値に相当する流量パルス信号を出力する流量測定部と、遮断弁駆動信号を出力し、前記遮断弁を駆動することで前記ガス流路を閉止する遮断弁駆動部と、商用電源を電源とし、電源が供給されている間はガス漏れ状態を監視し、ガス漏れ状態を検出している間は、前記遮断弁駆動部へガス漏れ警報信号を出力して前記遮断弁を駆動させて前記ガス流路を遮断するガス漏れ検出部と、前記商用電源から電源供給されている間は電源供給信号を出力する電源供給検出部とを有するガス警報器と、前記ガス警報器の前記商用電源の供給が停止し、電源供給検出部からの電源供給信号も停止することで、前記電源供給信号を一定時間以上受信できない期間内に前記流量パルス信号を受け取ると、前記遮断弁駆動部に停電検出信号を出力して前記遮断弁を駆動させて前記ガス流路を遮断する電源供給判定部とを有するガス遮断装置。
【請求項２】
ガスメータのガス流路内に設けられた遮断弁と、前記遮断弁の駆動電力を供給する前記ガスメータ内に内蔵された電池と、前記ガス流路を通過するガス流量を測定し、流量値に相当する流量パルス信号を出力する流量測定部と、遮断弁駆動信号を出力し、前記遮断弁を駆動することで前記ガス流路を閉止する遮断弁駆動部と、前記ガスメータに振動、衝撃が生じたことを検出すると、感震パルス信号を出力する震度検出部と、前記商用電源を電源とし、電源が供給されている間はガス漏れ状態を監視し、ガス漏れ状態を検出している間は、前記遮断弁駆動部へガス漏れ警報信号を出力して前記遮断弁を駆動させて前記ガス流路を遮断するガス漏れ検出部と、前記商用電源から電源供給されている間は電源供給信号を出力する電源供給検出部とを有するガス警報器と、前記ガス警報器の前記商用電源の供給が停止し、電源供給検出部からの電源供給信号も停止することで、前記電源供給信号を一定時間以上受信できない期間内に前記感震パルス信号を受け取ると、前記遮断弁駆動部に停電検出信号を出力して前記遮断弁を駆動させて前記ガス流路を遮断する電源供給判定部とを有するガス遮断装置。
【請求項３】
ガス警報器の商用電源の供給が停止することで、電源供給信号が一定時間以上受信できない期間が継続した後、前記商用電源の供給が回復することで、電源供給検出部から電源供給信号が出力され電源供給判定部が受信できた時、ガスメータ以後に接続されているガス機器の報知部へ遮断事象信号を送信する送信部を有する請求項１または２に記載のガス遮断装置。
【請求項４】
ガス警報器の商用電源の供給が停止することで、電源供給信号が一定時間以上受信できない期間が継続した後、前記商用電源の供給が回復することで、電源供給検出部より電源供給信号が出力され、電源供給判定部が前記電源供給信号を受信できた時に、遮断弁駆動部へ遮断弁復帰信号を送信する自動復帰部を有する請求項１から３のいずれか１項に記載のガス遮断装置。
【請求項５】
一定時間毎に動作許可信号を出力するタイマー部と、前記動作許可信号を受信すると電源供給信号の有無を検出する電源供給判定部とを有する請求項１から４のいずれか１項に記載のガス遮断装置。
【発明の詳細な説明】
【技術分野】
【０００１】
本発明は、ガスメータ以後のガス使用時にガス使用上の安全を図るガス遮断装置に関するものである。
【背景技術】
【０００２】
従来のガス遮断装置において、商用電源によって動作するガス警報器からのガス漏れ検知信号を入力し、入力したガス漏れ検知信号に基づいて、ガス供給路に設けられた遮断弁によるガス遮断を行うガス遮断制御装置、及びガス遮断制御装置をガス警報器及び遮断弁と共に使用して構成されるものであった（例えば、特許文献１参照）。
【０００３】
図２は、従来のガス遮断装置の構成を示すブロック図である。図２において、ガス警報器３０からのガス漏れ警報信号を例えば１０秒を越えて継続して入力している状態で、ガス漏れ警報信号がその発生から例えば４５秒継続する前の任意の時点で停電が発生し、例えば３０秒継続したとき、ガス遮断命令信号を生成し遮断弁５０に対して出力して遮断弁５０を弁閉させ、ガス供給路６０に流れるガスの流れを遮断するというものであった。
【特許文献１】特開２００３−２７９０２６号公報
【発明の開示】
【発明が解決しようとする課題】
【０００４】
しかしながら、前記従来の図２に示すようなガス遮断装置の構成では、停電が生じると停電が生じた全域において必ず遮断弁を駆動し、ガスを遮断することになるため、ガス利用者自身が停電回復後に遮断弁を復帰させなければならなくなり、ガス利用者の利便性が失われてしまうということがあった。また、ガス警報器への電源供給の有無を常に監視しているため、電池の消耗を早めてしまうという課題もあった。
【０００５】
本発明は、前記従来の課題を解決するもので、停電及びガス利用者の不注意でガス警報器のコンセントが抜けた時に、ガス警報器がガス漏れ状態を検出できなくなった状態でのガス漏れを防ぎ、ガスの使用時や地震があった時に遮断弁を駆動し、ガスを遮断することでガス使用上の安全性を失うことなく、ガス利用者の利便性を向上させることができる。
【０００６】
さらに、供給電源の回復後に自動でガス流路の安全性を確認した後に、遮断弁を復帰させることで、ガス使用上の安全性を失うことなく、ガス利用者の利便性を向上させることができる。
【０００７】
また、ガス警報器への電源供給有無の監視を一定時間毎に監視することにより、電池の消耗を軽減させることで、電池容量の余裕度を上げることができる。
【課題を解決するための手段】
【０００８】
前記従来の課題を解決するために、本発明のガス遮断装置は、ガスメータのガス流路内に設けられた遮断弁と、遮断弁の駆動電力を供給するガスメータ内に内蔵された電池と、ガス流路を通過するガス流量を測定し、流量値に相当する流量パルス信号を出力する流量測定部と遮断弁駆動信号を出力し、遮断弁を駆動することでガス流路を閉止する遮断弁駆動部と、商用電源を電源とし、電源が供給されている間はガス漏れ状態を監視し、ガス漏れ状態を検出している間は、遮断弁駆動部へガス漏れ警報信号を出力して遮断弁を駆動させてガス流路を遮断するガス漏れ検出部と、商用電源から電源供給されている間は電源供給信号を出力する電源供給検出部とを有するガス警報器と、ガス警報器の商用電源の供給が停止し、電源供給検出部からの電源供給信号も停止することで、電源供給信号を一定時間以上受信できない期間内に前記流量パルス信号を受け取ると、遮断弁駆動部に停電検出信号を出力して遮断弁を駆動させて前記ガス流路を遮断する電源供給判定部とを有することで、停電、コンセントの抜けによりガス警報器がガス漏れ状態を検出できなくなった状態でのガス漏れを防ぎ、ガスの使用時に遮断弁を駆動し、ガスを遮断することでガス使用上の安全性を失うことなく、ガス利用者の利便性を向上させることができる。
【発明の効果】
【０００９】
本発明のガス遮断装置は、停電及びガス利用者の不注意でガス警報器のコンセントが抜けた時、ガス警報器がガス漏れ状態を検出できなくなった状態でのガス漏れを防ぎ、ガスの使用時に遮断弁を駆動し、ガスを遮断することでガス使用上の安全性を失うことなく、ガス利用者の利便性を向上させることができる。
【発明を実施するための最良の形態】
【００１０】
第１の発明は、ガスメータのガス流路内に設けられた遮断弁と、遮断弁の駆動電力を供給するガスメータ内に内蔵された電池と、ガス流路を通過するガス流量を測定し、流量値に相当する流量パルス信号を出力する流量測定部と遮断弁駆動信号を出力し、遮断弁を駆動することでガス流路を閉止する遮断弁駆動部と、商用電源を電源とし、電源が供給されている間はガス漏れ状態を監視し、ガス漏れ状態を検出している間は、遮断弁駆動部へガス漏れ警報信号を出力して遮断弁を駆動させてガス流路を遮断するガス漏れ検出部と、商用電源から電源供給されている間は電源供給信号を出力する電源供給検出部とを有するガス警報器と、ガス警報器の商用電源の供給が停止し、電源供給検出部からの電源供給信号も停止することで、電源供給信号を一定時間以上受信できない期間内に流量パルス信号を受け取ると、遮断弁駆動部に停電検出信号を出力して遮断弁を駆動させてガス流路を遮断する電源供給判定部とで構成してなることを特徴とする。
【００１１】
上記構成によれば、停電及びガス利用者の不注意でガス警報器のコンセントが抜けた時、ガス警報器がガス漏れ状態を検出できなくなった状態でのガス漏れを防ぎ、ガスの使用時に遮断弁を駆動し、ガスを遮断することでガス使用上の安全性を失うことなく、ガス利用者の利便性を向上させることができる。
【００１２】
第２の発明は、ガスメータのガス流路内に設けられた遮断弁と、遮断弁の駆動電力を供給するガスメータ内に内蔵された電池と、ガス流路を通過するガス流量を測定し、流量値に相当する流量パルス信号を出力する流量測定部と遮断弁駆動信号を出力し、遮断弁を駆動することでガス流路を閉止する遮断弁駆動部と、ガスメータに振動、衝撃が生じたことを検出すると、感震パルス信号を出力する震度検出部と、商用電源を電源とし、電源が供給されている間はガス漏れ状態を監視し、ガス漏れ状態を検出している間は、遮断弁駆動部へガス漏れ警報信号を出力して遮断弁を駆動させてガス流路を遮断するガス漏れ検出部と、商用電源から電源供給されている間は電源供給信号を出力する電源供給検出部とを有するガス警報器と、ガス警報器の商用電源の供給が停止し、電源供給検出部からの電源供給信号も停止することで、電源供給信号を一定時間以上受信できない期間内に感震パルス信号を受け取ると、遮断弁駆動部に停電検出信号を出力して遮断弁を駆動させてガス流路を遮断する電源供給判定部とを有することを特徴とする。
【００１３】
上記構成によれば、停電及びガス利用者の不注意でガス警報器のコンセントが抜けた時に、ガス警報器がガス漏れ状態を検出できなくなった状態でのガス漏れを防ぎ、地震発生時に遮断弁を駆動し、ガスを遮断することでガス使用上の安全性を失うことなく、ガス利用者の利便性を向上させることができる。
【００１４】
第３の発明は、特に第１または２の発明にガス警報器の商用電源の供給が停止することで、電源供給信号が一定時間以上受信できない期間が継続した後、商用電源の供給が回復することで、電源供給検出部から電源供給信号が出力され、電源供給判定部が受信できた時に、ガスメータ以後に接続されているガス機器の報知部へ遮断事象信号を送信する送信部を有したものである。
【００１５】
上記構成によれば、電源供給信号が回復した時点では遮断弁が閉状態であるので、ガス利用者はガス機器を使用することができないが、ガス機器の使用できない理由をガス機器報知部に表示することで内容及びガス遮断弁の復帰方法を理解し、すぐに対応することができるため、ガス利用者の利便性を向上させることができる。
【００１６】
第４の発明は、特に第１〜３のいずれか１つの発明にガス警報器の商用電源の供給が停止することで、電源供給信号が一定時間以上受信できない期間が継続した後、商用電源の供給が回復することで、電源供給検出部より電源供給信号が出力され、電源供給判定部が電源供給信号を受信できた時に、遮断弁駆動部へ遮断弁復帰信号を送信する自動復帰部を有したものである。
【００１７】
上記構成によれば、電源供給信号が回復した時点では遮断弁が閉状態であるので、電源供給検出部から電源供給信号が出力され、電源供給判定部が電源供給信号を受け取ると、自動でガス流路の安全性を確認した後に、遮断弁を復帰させることで、ガス使用上の安全性を失うことなく、ガス利用者自身がガスメータまで行き遮断弁の復帰動作を行う手間を取り除くことができるため利便性を向上させることができる。
【００１８】
第５の発明は、特に第１〜４のいずれか１つの発明に一定時間毎に動作許可信号を出力するタイマー部と、動作許可信号を受信すると電源供給信号の有無を検出する電源供給判定部とを有したものである。
【００１９】
上記構成によれば、一定時間毎に電源供給信号の有無を確認する構成にすることで、電源供給判定部の動作時間を短縮できるため、電流消費量を低減させ、電池容量の余裕度を上げることができる。
【００２０】
以下、本発明の実施の形態について、図面を参照しながら説明する。なお、この実施の形態によって本発明が限定されるものではない。
【００２１】
（実施の形態１）
図１は本発明の第１の実施の形態におけるガス遮断装置の構成図である。
【００２２】
図１において、ガスメータ１のガス流路２内に設けられた遮断弁３と、遮断弁３の駆動電力を供給するガスメータ１内に内蔵された電池４と、ガス流路２を通過するガス流量を測定し、流量値に相当する流量パルス信号ａを出力する流量測定部５と、遮断弁駆動信号ｂを出力し、遮断弁３を駆動することでガス流路２を閉止する遮断弁駆動部６と、ガスメータ１に振動、衝撃が生じたことを検出すると、感震パルス信号ｃを出力する震度検出部７と、商用電源８を電源とし、電源が供給されている間はガス漏れ状態を監視し、ガス漏れ状態を検出している間は、遮断弁駆動部６へガス漏れ警報信号ｄを出力して遮断弁３を駆動させてガス流路を遮断するガス漏れ検出部９と、商用電源８から電源供給されている間は電源供給信号ｅを出力する電源供給検出部１０とを有するガス警報器１１と、ガス警報器１１の商用電源８の供給が停止し、電源供給検出部１０からの電源供給信号ｅも停止することで、電源供給信号ｅを一定時間以上受信できない期間内に、流量パルス信号ａまたは感震パルス信号ｃを受け取ると、遮断弁駆動部６に停電検出信号ｆを出力して遮断弁３を駆動させてガス流路２を遮断する電源供給判定部１２とを有するガス遮断装置である。
【００２３】
また、ガス警報器１１の商用電源８の供給が停止し、電源供給検出部１０からの電源供給信号ｅも停止することで、電源供給信号ｅが一定時間以上受信できない期間が継続した後、商用電源８の供給が回復することで、電源供給検出部１０からの電源供給信号ｅが出力され、電源供給判定部１２が受信できた時、ガスメータ１以後に接続されているガス機器１３の報知部１４へ遮断事象信号ｇを送信する送信部１５を有するものである。
【００２４】
さらに、ガス警報器１１の商用電源８の供給が停止し、電源供給検出部１０からの電源供給信号ｅも停止することで、電源供給信号ｅが一定時間以上受信できない期間が継続した後、商用電源８の供給が回復することで、電源供給検出部１０からの電源供給信号ｅが出力され、電源供給判定部１２が電源供給信号ｅを受信できた時に、遮断弁駆動部６へ遮断弁復帰信号ｈを送信する自動復帰部１６を有するものである。
【００２５】
そして、一定時間毎に動作許可信号ｉを出力するタイマー部１７と、動作許可信号ｉを受信すると電源供給信号ｅの有無を検出する電源供給判定部１２とを有したものである。
【００２６】
本実施の形態において、停電またはコンセントが抜けることでガス警報器１１に電源が供給されなくなった場合、電源が供給されていない期間内でガス漏れが発生した場合、ガス漏れの検出をすることができない。そこで、ガス警報器１１の電源供給がある時は電源供給信号ｅを電源供給判定部１２へ出力し、ガス警報器１１の電源が供給されなくなった時は、電源供給判定部１２への電源供給信号ｅの出力が停止をさせる電源供給検出部１０からの電源供給信号ｅの有無により、ガス警報器１１が電源供給されて正常動作をしているかを判定する電源供給判定部１２はガス警報器１１が電源供給されていないを判定している間に流量パルス信号ａ及び感震パルス信号ｃを受け取ると、停電検出信号ｆを遮断弁駆動部６に出力し、遮断弁駆動部６は遮断弁駆動信号ｂを遮断弁３に出力し、遮断弁３を駆動しガスを遮断する。
【００２７】
また、ガス警報器１１の電源供給が停電の復旧、コンセントを差すことで回復し、電源供給信号ｅが出力され電源供給判定部１２が電源供給ありと判定すると、ガスメータ１以後に接続されているガス機器１３の報知部１４に送信部１５より遮断事象信号ｇを送信する。そして、自動復帰部１６はガス流路２の安全を確認し、問題がなければ遮断弁駆動部６へ遮断弁復帰信号ｈを出力する。遮断弁駆動部６は遮断弁復帰信号ｈを受け取ると遮断弁３を復帰し、ガス使用を可能とする。
【００２８】
さらに電源供給判定部１２は一定時間毎にタイマー部１７から送られてくる動作許可信号ｉを受け取ると、電源供給の有無を判定する。
【００２９】
このように、停電及びガス利用者の不注意でガス警報器１１のコンセントが抜けた時、ガス警報器１１がガス漏れ状態を検出できなくなった状態でのガス漏れを防ぎ、ガスの使用時及び地震時に遮断弁３を駆動し、ガスを遮断することでガス使用上の安全性を失うことなく、ガス利用者の利便性を向上させることができる。
【００３０】
また、電源供給信号ｅが回復した時点では遮断弁３が閉状態であるので、ガス利用者はガス機器を使用することができない。そこで、ガス機器の使用できない理由をガス機器の報知部１４に表示することで内容及びガス遮断弁の復帰方法を理解し、すぐに対応することができるため、ガス利用者の利便性を向上させることができる。
【００３１】
さらに、電源供給信号ｅが回復した時点では遮断弁３が閉状態であるので、電源供給検出部１０から電源供給信号ｅが出力され、電源供給判定部１２が電源供給信号ｅを受け取ると、自動でガス流路の安全性を確認した後に、遮断弁３を復帰させることで、ガス使用上の安全性を失うことなく、ガス利用者自身がガスメータまで行き遮断弁の復帰動作を行う手間を取り除くことができるため利便性を向上させることができる。
【００３２】
そして、一定時間毎に電源供給信号ｅの有無を確認する構成にすることで、電源供給判定部１２の動作時間を短縮できるため、電流消費量を低減させることで、電池４容量の余裕度を上げることができる。
【産業上の利用可能性】
【００３３】
以上のように、本発明にかかるガス遮断装置は、ガスメータ以後のガス使用時にガス使用上の安全を図るガス遮断装置に関するものである用途に適用することができる。
【図面の簡単な説明】
【００３４】
【図１】本発明の実施の形態１におけるガス遮断装置の構成図
【図２】従来のガス遮断装置の構成図
【符号の説明】
【００３５】
１  ガスメータ
２  ガス流路
３  遮断弁
４  電池
５  流量測定部
６  遮断弁駆動部
７  震度検出部
８  商用電源
９  ガス漏れ検出部
１０  電源供給検出部
１１  ガス警報器
１２  電源供給判定部
１３  ガス機器
１４  報知部
１５  送信部
１６  自動復帰部
１７  タイマー部
【図１】
2005257156.tif 000003
【図２】
2005257156.tif 000004